【手続補正書】
【提出日】平成17年2月17日(2005.2.17)
【手続補正１】
【補正対象書類名】明細書
【補正対象項目名】特許請求の範囲
【補正方法】変更
【補正の内容】
【特許請求の範囲】
【請求項１】
携帯型無線通信機器に設けられているコネクタに着脱可能に接続される接続ユニットにおいて、
自己のＩＤを記憶するＩＤ記憶手段と、
前記コネクタを介して入力される情報に基づいて、接続された携帯型無線通信機器の通信方式を判別する第１の判別手段と、
近接無線通信手段と、
前記ＩＤ記憶手段に記憶されているＩＤを用いて前記近接無線通信手段を介して前記携帯型無線通信機器外部とリンクを確立するリンク確立手段と、
このリンク確立手段によるリンクの確立の後、前記近接無線通信手段を介して前記携帯型無線通信機器の外部からデータを受信する受信手段と、
前記通信方式に対応して、データを変換するためのプログラムを複数記憶する第１の変換プログラム記憶手段と、
前記第１の判別手段によって判別された通信方式に基づいて、前記第１の変換プログラム記憶手段より対応するプログラムを読み出す第１の読出手段と、
この第１の読出手段によって読み出されたプログラムを実行することにより前記受信手段により受信されたデータを前記第１の判別手段によって判別された通信方式に沿った形式に変換する第１の変換手段と、
前記第１の変換手段が変換したデータを、前記コネクタを介して前記携帯型無線通信機器に供給する第１の供給手段と、
を備えたことを特徴とする接続ユニット。
【請求項２】
前記携帯型無線通信機器とのデータ通信状態、及び／又は、前記携帯型無線通信機器の外部とのデータ通信状態を報知する報知手段をさらに備えたことを特徴とする請求項１記載の接続ユニット。
【請求項３】
前記データとは、画像データであることを特徴とする請求項１に記載の接続ユニット。
【請求項４】
携帯型無線通信機器に設けられているコネクタに着脱可能に接続され、該携帯型無線通信機器の外部とデータ通信を行うためのデータ通信デバイスを備える接続ユニットにおいて、
前記携帯型無線通信機器から前記コネクタを介してデータを受信する受信手段と、
前記携帯型無線通信機器とのデータ通信方式に対応して、データを変換するためのプログラムを複数記憶記憶する変換プログラム記憶手段と、
前記複数の通信デバイスのいずれかでデータ受信を検出する検出手段と、
この検出手段によって検出されたデータ通信デバイスの種類によって、前記携帯型無線通信機器の外部とのデータ通信方式を判別する判別手段と、
この判別手段により判別されたデータ通信方式に基づいて、前記変換プログラム記憶手段より対応するプログラムを読み出す読出手段と、
この読出手段によって読み出されたプログラムを実行することにより、前記受信手段によって受信されたデータを、前記判別手段によって判別された通信方式に沿った形式に変換する変換手段と、
前記変換手段が変換したデータを、前記検出手段によって検出されたデータ通信デバイスを介して携帯型無線通信機器の外部に供給する供給手段と、
を備えたことを特徴とする接続ユニット。
【請求項５】
前記携帯型無線通信機器とのデータ通信状態、及び／又は、前記携帯型無線通信機器の外部とのデータ通信状態を報知する報知手段をさらに備えたことを特徴とする請求項４記載の接続ユニット。
【請求項６】
前記データとは、画像データであることを特徴とする請求項４に記載の接続ユニット。
【請求項７】
前記複数のデータ通信デバイスとは、近接無線通信によって前記携帯型無線通信機器の外部とデータ通信を行うための近接無線通信モジュールと、有線によって前記携帯型無線通信機器外部とデータ通信を行うための有線通信モジュールであることを特徴とする請求項４に記載の接続ユニット。
【請求項８】
前記複数のデータ通信デバイスは、光通信によって前記携帯型無線通信機器の外部とデータ通信を行うための光通信モジュールと、有線によって前記携帯型無線通信機器外部とデータ通信を行うための有線通信モジュールであることを特徴とする請求項４に記載の接続ユニット。
【請求項９】
前記複数のデータ通信デバイスは、近接無線通信によって前記携帯型無線通信機器の外部とデータ通信を行うための近接無線通信モジュールと、
光通信によって前記携帯型無線通信機器の外部とデータ通信を行うための光通信モジュールと、
有線によって前記携帯型無線通信機器の外部とデータ通信を行うための有線通信モジュールと
であることを特徴とする請求項４記載の接続ユニット。
【請求項１０】
前記携帯型無線通信機器とのデータ通信状態を報知する報知手段を更に備えたことを特徴とする請求項４記載の接続ユニット。
【請求項１１】
携帯型無線通信機器と外部機器とからなる無線通信システムであって、
前記携帯型無線通信機器は、
前記外部機器とデータ通信を行うための複数種のデータ通信デバイスと、
前記複数の通信デバイスのいずれかで前記外部機器からの接続要求を検出する検出手段と、
この検出手段によって検出された接続要求が、どの通信デバイスかにより、前記外部機器とのデータ通信方式を判別する判別手段と、
この判別手段により判別されたデータ通信方式で、前記外部機器とデータ通信を行う通信手段と、
を備えることを特徴とする無線通信システム。
【請求項１２】
前記携帯型無線通信機器は、
前記外部機器とのデータ通信状態を報知する報知手段をさらに備えたことを特徴とする請求項１１記載の無線通信システム。
【請求項１３】
前記外部機器は撮像手段を備え、前記データとはこの撮像手段によって撮像された画像データであることを特徴とする請求項１１記載の無線通信システム。
【請求項１４】
携帯型無線通信機器は、ＷＷＷ（Ｗｏｒｌｄ  Ｗｉｄｅ  Ｗｅｂ）を介してＷＷＷ接続用サーバと接続されており、前記携帯型無線通信機器に格納されている画像データを該サーバのデータベースに格納し、又はデータベースに格納されている画像データを前記ＷＷＷを介して前記携帯型無線通信機器へ送信し、格納させることを特徴とする請求項１３記載の無線通信システム。
【請求項１５】
携帯型無線通信機器に設けられているコネクタに着脱可能に接続され、ＩＤを記憶するメモリと近接無線通信モジュールとを備えた接続ユニットの制御方法であって、
前記コネクタを介して入力される情報に基づいて、接続された携帯型無線通信機器の通信方式を判別する第１の判別ステップと、
前記メモリに記憶されているＩＤを用いて前記近接無線通信モジュールを介して、前記携帯型無線通信機器の外部とのリンクを確立するリンク確立ステップと、
このリンク確立ステップによりリンク確立されると、前記近接無線通信モジュールを介して前記携帯型無線通信機器の外部から画像データを受信する第１の受信ステップと、
この第１の受信ステップによって受信された画像データを前記第１の判別ステップによって判別された通信方式に沿った形式に変換する第１の変換ステップと、
前記第１の変換ステップで変換された画像データを、前記コネクタを介して前記携帯型無線通信機器に供給する第１の供給ステップを含んだことを特徴とする接続ユニットの制御方法。
【請求項１６】
携帯型無線通信機器に設けられているコネクタに着脱可能に接続され、該携帯型無線通信機器の外部とデータ通信を行うためのデータ通信デバイスを複数備える接続ユニットの制御方法であって、
前記複数のデータ通信デバイスのいずれかでデータ受信を検出する検出ステップと、
この検出ステップによって検出されたデータ通信デバイスの種類によって、前記携帯型無線通信機器の外部とのデータ通信方式を判別する判別ステップと、
前記携帯型無線通信機器から前記コネクタを介して画像データを受信する受信ステップと、
この受信ステップによって受信された画像データを前記判別ステップにより判別されたデータ通信方式に沿った形式に変換する変換ステップと、
この変換ステップで変換された画像データを、前記検出ステップによって検出されたデータ通信デバイスを介して前記携帯型無線通信機器の外部に供給する供給ステップとを含むことを特徴とする接続ユニットの制御方法。
【請求項１７】
外部機器とデータ通信を行うための複数種のデータ通信デバイスを備えた携帯型無線通信機器と該外部機器との間で無線通信を行う無線通信方法であって、
前記複数種のデータ通信デバイスのいずれかで前記外部機器からのデータ受信を検出する検出ステップと、
この検出ステップによって検出されたデータ通信デバイスの種類によって、前記外部機器とのデータ通信方式を判別する判別ステップと、
この判別ステップによって判別されたデータ通信方式で、前記外部機器とのデータ通信を行う通信ステップとを含むことを特徴とする無線通信方法。
【請求項１８】
前記外部機器とのデータ通信状態を報知する報知ステップをさらに含むことを特徴とする請求項１７記載の無線通信方法。
【請求項１９】
前記外部機器は撮像装置であり、前記データとは、撮像された画像データであることを特徴とする請求項１７記載の無線通信方法。
【請求項２０】
表示部、操作入力部、メモリおよび機能を拡張するためのコネクタを少なくとも有する携帯電話型通信機器と、
前記コネクタに接続され、通信部、ＣＰＵおよびメモリを少なくとも有する接続ユニットと、
受信部、表示部、メモリおよび撮像素子を少なくとも有するデジタルカメラからなる無線通信システムにおいて、
前記携帯電話型通信機器のメモリに格納された画像データを、前記コネクタを介して前記接続ユニットのメモリに格納し、
前記接続ユニットは、該格納した画像データを判別し、前記デジタルカメラが使用する通信方式に変換した後に、無線通信により前記デジタルカメラのメモリへ格納し、前記デジタルカメラの表示部にて、該画像データを表示することを特徴とした無線通信システム。
【請求項２１】
前記デジタルカメラの受信部は、光通信を処理することを特徴とした請求項２０に記載の無線通信システム。
【請求項２２】
表示部、操作入力部、メモリおよび機能を拡張するためのコネクタを少なくとも有する携帯電話型通信機器と、
受信部、ＣＰＵ、メモリ、自己のＩＤを記憶する第１のＩＤメモリおよび接無線通信手段を少なくとも有する前記コネクタに接続される接続ユニットと、
撮像素子、自己のＩＤを記憶する第２のＩＤメモリおよび近接無線通信手段を少なくとも有するデジタルカメラからなる無線通信システムにおいて、
前記デジタルカメラは、前記第２のＩＤメモリに記憶されているＩＤを用いて前記近接無線通信手段を介して前記接続ユニットとリンクを確立させるとともに、前記撮像素子で撮像した画像データを、前記接続ユニットへ送信し、
前記接続ユニットは、該受信した画像データを判別し、前記携帯電話型通信機器が使用する通信方式に変換し、前記接続ユニットのメモリに格納した後に、前記コネクタを介して前記携帯電話型通信機器のメモリに格納し、前記携帯電話型通信機器の表示部にて、該画像データを表示することを特徴とした無線通信システム。
【手続補正２】
【補正対象書類名】明細書
【補正対象項目名】００１０
【補正方法】変更
【補正の内容】
【００１０】
前記課題を解決するために請求項１記載の発明にかかる接続ユニット（３）にあっては、携帯型無線通信機器（４）に設けられているコネクタ（４１４）に着脱可能に接続される接続ユニット（３）において、自己のＩＤを記憶するＩＤ記憶手段（３１４０）と、
前記コネクタ（４１４）を介して入力される情報に基づいて、接続された携帯型無線通信機器（４）の通信方式を判別する第１の判別手段（３１３）と、近接無線通信手段（３１６、３１１）と、前記ＩＤ記憶手段に記憶されているＩＤを用いて前記近接無線通信手段を介して前記携帯型無線通信機器外部とリンクを確立するリンク確立手段（３１３）と、このリンク確立手段によるリンクの確立の後、前記近接無線通信手段を介して前記携帯型無線通信機器の外部からデータを受信する受信手段（３１３）と、前記通信方式に対応して、データを変換するためのプログラムを複数記憶する第１の変換プログラム記憶手段（３１４）と、前記第１の判別手段によって判別された通信方式に基づいて、前記第１の変換プログラム記憶手段より対応するプログラムを読み出す第１の読出手段（３１３）と、この第１の読出手段によって読み出されたプログラムを実行することにより前記受信されたデータを前記第１の判別手段によって判別された通信方式に沿った形式に変換する第１の変換手段（３１３）と、前記第１の変換手段が変換したデータを、前記コネクタ（４１４）を介して前記携帯型無線通信機器（４）に供給する第１の供給手段とを備えている。
【手続補正３】
【補正対象書類名】明細書
【補正対象項目名】００１１
【補正方法】変更
【補正の内容】
【００１１】
したがって、接続ユニットが携帯型無線通信機器のコネクタに接続されると、当該携帯型無線通信機器の通信方式が判別されて、外部から受信したデータは、判別された当該携帯型無線通信機器の通信方式に沿った形式に変換される。よって、この接続ユニットが接続される携帯型無線通信機器が如何なる通信方式を採用していようとも、汎用的に用いることができる。そして、外部から受信したデータを接続された携帯型無線通信機器の通信方式に沿った形式に変換して、当該携帯型無線通信機器からＷＷＷ上のサーバにアップロードする等が可能となる。
また接続ユニットが携帯型無線通信機器のコネクタに接続されると、当該携帯型無線通信機器の通信方式が判別されて、変換プログラム記憶手段より対応するプログラムが読み出され、このプログラムを実行することにより、受信されたデータが、判別された当該携帯型無線通信機器の通信方式に沿った形式に変換される。
また、請求項２記載の発明にかかる接続ユニット（３）にあっては、前記携帯型無線通信機器（４）とのデータ通信状態、及び／又は、前記携帯型無線通信機器の外部とのデータ通信状態を報知する報知手段（３０２、３１２、３１９）をさらに備えている。したがって、ユーザは携帯型無線通信機器とこれに接続された接続ユニット間でのデータ通信状態を認識することができる。
【手続補正４】
【補正対象書類名】明細書
【補正対象項目名】００１２
【補正方法】変更
【補正の内容】
【００１２】
また、請求項３記載の発明にかかる接続ユニットにあっては、前記データとは、画像データである。
【手続補正５】
【補正対象書類名】明細書
【補正対象項目名】００１３
【補正方法】変更
【補正の内容】
【００１３】
また、請求項４記載の発明にかかる接続ユニットにあっては、携帯型無線通信機器（４）に設けられているコネクタ（４１４）に着脱可能に接続され、該携帯型無線通信機器の外部とデータ通信を行うためのデータ通信デバイス（３０５、３０６、３０９、３１１、３１６）を備える接続ユニットにおいて、前記携帯型無線通信機器（４）から前記コネクタ（４１４）を介してデータを受信する受信手段（３０１）と、前記携帯型無線通信機器とのデータ通信方式に対応して、データを変換するためのプログラムを複数記憶記憶する、変換プログラム記憶手段（３１４）と、前記複数の通信デバイスのいずれかでデータ受信を検出する検出手段（３１３）と、この検出手段によって検出されたデータ通信デバイスの種類によって、前記携帯型無線通信機器の外部とのデータ通信方式を判別する判別手段（３１３）と、この判別手段（３１３）により判別されたデータ通信方式に基づいて、この変換プログラム記憶手段より対応するプログラムを読み出す読出手段（３１３）と、この読出手段（３１３）によって読み出されたプログラムを実行することにより、前記受信手段（３０１）によって受信されたデータを、前記判別手段（３１３）によって判別された通信方式に沿った形式に変換する変換手段と（３１３）、前記変換手段（３１３）が変換したデータを、前記検出手段によって検出されたデータ通信デバイスを介して携帯型無線通信機器の外部に供給する供給手段と備える。
【手続補正６】
【補正対象書類名】明細書
【補正対象項目名】００１５
【補正方法】変更
【補正の内容】
【００１５】
また、請求項５記載の発明にかかる接続ユニットにあっては、前記携帯型無線通信機器（４）とのデータ通信状態、及び／又は、前記携帯型無線通信機器の外部とのデータ通信状態を報知する報知手段（３０２、３１２、３１９）をさらに備えている。したがって、ユーザは携帯型無線通信機器とこれに接続された接続ユニット間でのデータ通信状態を認識することができる。
【手続補正７】
【補正対象書類名】明細書
【補正対象項目名】００１７
【補正方法】変更
【補正の内容】
【００１７】
また、請求項７記載の発明にかかる接続ユニットにあっては、前記複数のデータ通信デバイスとは、近接無線通信によって前記携帯型無線通信機器の外部とデータ通信を行うための近接無線通信モジュール（３１１、３１６）と、有線によって前記携帯型無線通信機器外部とデータ通信を行うための有線通信モジュール（３０１、３０６）である。よって、無線通信及び有線通信のいずれに対しても対応が可能となる。
【手続補正８】
【補正対象書類名】明細書
【補正対象項目名】００１８
【補正方法】変更
【補正の内容】
【００１８】
また、請求項８記載の発明にかかる接続ユニットにあっては、前記複数のデータ通信デバイスは、光通信によって前記携帯型無線通信機器の外部とデータ通信を行うための光通信モジュール（３０５、３０９）と、有線によって前記携帯型無線通信機器外部とデータ通信を行うための有線通信モジュール（３０１、３０６）である。よって、光通信及び有線通信のいずれに対しても対応が可能となる。
【手続補正９】
【補正対象書類名】明細書
【補正対象項目名】００１９
【補正方法】変更
【補正の内容】
【００１９】
また、請求項９記載の発明にかかる接続ユニットにあっては、前記複数のデータ通信デバイスは、近接無線通信によって前記携帯型無線通信機器の外部とデータ通信を行うための近接無線通信モジュール（３１１、３１６）と、光通信によって前記携帯型無線通信機器の外部とデータ通信を行うための光通信モジュール（３０５、３０９）と、有線によって前記携帯型無線通信機器の外部とデータ通信を行うための有線通信モジュール（３０１、３０６）とである。よって、無線通信、光通信及び有線通信のいずれに対しても対応が可能となる。
【手続補正１０】
【補正対象書類名】明細書
【補正対象項目名】００２０
【補正方法】変更
【補正の内容】
【００２０】
また、請求項１０記載の発明にかかる接続ユニットにあっては、前記携帯型無線通信機器とのデータ通信状態を報知する報知手段（３０２、３１２、３１９）を更に備える。
【手続補正１１】
【補正対象書類名】明細書
【補正対象項目名】００２１
【補正方法】変更
【補正の内容】
【００２１】
また、請求項１１記載の発明にかかる無線通信システムにあっては、携帯型無線通信機器（４００）と外部機器（２）とからなる無線通信システムであって、前記携帯型無線通信機器（４００）は、前記外部機器（２）とデータ通信を行うための複数種のデータ通信デバイス（３１１、３１６、３０５、３０９、４１４）と、前記複数の通信デバイスのいずれかで前記外部機器（２）からの接続要求を検出する検出手段（３２８）と、この検出手段によって検出された接続要求が、どの通信デバイスかにより、前記外部機器（２）とのデータ通信方式を判別する判別手段（３２３）と、この判別手段により判別されたデータ通信方式で、前記外部機器（２）とデータ通信を行う通信手段（３２３）とを備える。よって、携帯型無線通信機器とデータを送信する外部機器との間で如何なる通信方式が採用されていようとも、汎用的に用いることができる。
【手続補正１２】
【補正対象書類名】明細書
【補正対象項目名】００２２
【補正方法】変更
【補正の内容】
【００２２】
また、請求項１２記載の発明にかかる無線通信システムあっては、前記携帯型無線通信機器（４００）は、前記外部機器（２）とのデータ通信状態を報知する報知手段（４２５、４２６）をさらに備える。したがって、ユーザは携帯型無線通信機器とこれに接続無線接続された外部機器間でのデータ通信状態を認識することができる。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
また、請求項１３記載の発明にあっては、前記外部機器（２）は撮像手段（２０９、２１８）を備え、前記データとはこの撮像手段によって撮像された画像データである。
【手続補正１５】
【補正対象書類名】明細書
【補正対象項目名】００２５
【補正方法】変更
【補正の内容】
【００２５】
また、請求項１４記載の発明にあっては、携帯型無線通信機器（４００）は、ＷＷＷ（Ｗｏｒｌｄ  Ｗｉｄｅ  Ｗｅｂ）（７）を介してＷＷＷ接続用サーバ（８１）と接続されており、前記携帯型無線通信機器（４００）に格納されている画像データを該サーバのデータベース（９）に格納し、又はデータベース（９）に格納されている画像データを前記ＷＷＷ（７）を介して前記携帯型無線通信機器（４００）へ送信し、格納させる。
【手続補正１６】
【補正対象書類名】明細書
【補正対象項目名】００２６
【補正方法】変更
【補正の内容】
【００２６】
また、請求項１５記載の発明にあっては、携帯型無線通信機器（４）に設けられているコネクタ（４１４）に着脱可能に接続され、ＩＤを記憶するメモリ（３１４０）と近接無線通信モジュール（３１６、３１１）とを備えた接続ユニット（３）の制御方法であって、前記コネクタ（４１４）を介して入力される情報に基づいて、接続された携帯型無線通信機器（４）の通信方式を判別する第１の判別ステップと、前記メモリに記憶されているＩＤを用いて前記近接無線通信モジュールを介して、前記携帯型無線通信機器の外部とのリンクを確立するリンク確立ステップと、このリンク確立ステップによりリンク確立されると、前記近接無線通信モジュールを介して前記携帯型無線通信機器の外部から画像データを受信する第１の受信ステップと、この第１の受信ステップによって受信された画像データを前記第１の判別ステップによって判別された通信方式に沿った形式に変換する第１の変換ステップと、前記第１の変換ステップで変換された画像データを、前記コネクタ（４１４）を介して前記携帯型無線通信機器（４）に供給する第１の供給ステップを含む。
【手続補正１７】
【補正対象書類名】明細書
【補正対象項目名】００２７
【補正方法】変更
【補正の内容】
【００２７】
また、請求項１６記載の発明にあっては、携帯型無線通信機器（４）に設けられているコネクタ（４１４）に着脱可能に接続され、該携帯型無線通信機器の外部とデータ通信を行うためのデータ通信デバイスを複数備える接続ユニット（３）の制御方法であって、前記複数のデータ通信デバイスのいずれかでデータ受信を検出する検出ステップと、この検出ステップによって検出されたデータ通信デバイスの種類によって、前記携帯型無線通信機器（４）の外部とのデータ通信方式を判別する判別ステップと、前記携帯型無線通信機器（４）から前記コネクタ（４１４）を介して画像データを受信する受信ステップと、この受信ステップによって受信された画像データを前記判別ステップにより判別されたデータ通信方式に沿った形式に変換する変換ステップと、この変換ステップで変換された画像データを、前記検出ステップによって検出されたデータ通信デバイスを介して前記携帯型無線通信機器の外部に供給する供給ステップとを含む。
【手続補正１８】
【補正対象書類名】明細書
【補正対象項目名】００２８
【補正方法】変更
【補正の内容】
【００２８】
また、請求項１７記載の発明にあっては、外部機器（２）とデータ通信を行うための複数種のデータ通信デバイス（３１１、３１６、３０５、３０９、４１４）を備えた携帯型無線通信機器（４００）と該外部機器（２）との間で無線通信を行う無線通信方法であって、前記複数種のデータ通信デバイスのいずれかで前記外部機器（２）からのデータ受信を検出する検出ステップと、この検出ステップによって検出されたデータ通信デバイスの種類によって、前記外部機器（２）とのデータ通信方式を判別する判別ステップと、この判別ステップによって判別されたデータ通信方式で、前記外部機器と（２）のデータ通信を行う通信ステップとを含む。
【手続補正１９】
【補正対象書類名】明細書
【補正対象項目名】００３０
【補正方法】変更
【補正の内容】
【００３０】
また、請求項１８記載の発明にあっては、前記外部機器（２）とのデータ通信状態を報知する報知ステップをさらに含む。
【手続補正２０】
【補正対象書類名】明細書
【補正対象項目名】００３１
【補正方法】変更
【補正の内容】
【００３１】
また、請求項１９記載の発明にあっては、前記外部機器（２）は撮像装置であり、前記データとは、撮像された画像データである。
【手続補正２１】
【補正対象書類名】明細書
【補正対象項目名】００３２
【補正方法】変更
【補正の内容】
【００３２】
したがって、接続ユニットの制御方法の発明によれば、記載するステップでコンピュータに処理を実行させることにより、接続ユニットの発明と同様の効果を得ることが可能となる。よって、記載される処理ステップを、外部機器と無線通信を行う携帯型無線通信機器が内蔵するマイクロコンピュータで実行することにより、本発明の通信技術が容易に実施できるようになる。
【手続補正２２】
【補正対象書類名】明細書
【補正対象項目名】００３３
【補正方法】変更
【補正の内容】
【００３３】
また、請求項２０記載の発明にかかる無線通信システムにあっては、表示部（４２５）、操作入力部（４１５）、メモリ（４１３）および機能を拡張するためのコネクタ（４１４）を少なくとも有する携帯電話型通信機器（３）と、前記コネクタ（４１４）に接続され、通信部（３０５、３１６）、ＣＰＵ（３１３）およびメモリ（３１４、３１５）とを少なくとも有する接続ユニット（３）と、受信部（２１５）、表示部（２０７）、メモリ（２１６）および撮像素子（２１８）とを少なくとも有するデジタルカメラ（２）からなる無線通信システムにおいて、前記携帯電話型通信機器のメモリ（４１３）に格納された画像データを、前記コネクタ（４１４）を介して前記接続ユニット（３）のメモリに格納し、前記接続ユニット（３）は、該格納した画像データを判別し、前記デジタルカメラ（２）が使用する通信方式に変換した後に、無線通信により前記デジタルカメラ（２）のメモリ（２１６）へ格納し、前記デジタルカメラ（２）の表示部にて、該画像データを表示する。
また、請求項２１記載の発明にかかる無線通信システムにあっては、前記デジタルカメラ（２）の受信部（２１５）は、光通信を処理する。
また、請求項２２記載の発明にかかる無線通信システムにあっては、表示部（４２５）、操作入力部（４１５）、メモリ（４１３）および機能を拡張するためのコネクタ（４１４）を少なくとも有する携帯電話型通信機器（４）と、受信部（３０５、３１６）、ＣＰＵ（３１３）、メモリ（３１４、３１５）、自己のＩＤを記憶する第１のＩＤメモリ（３１４０）および近接無線通信手段（３１６、３１１）を少なくとも有する前記コネクタ（４１４）に接続される接続ユニット（３）と、撮像素子（２１８）と、自己のＩＤを記憶する第２のＩＤメモリ（２１９０）と、近接無線通信手段（３１６、３１１）とを少なくとも有するデジタルカメラ（２）からなる無線通信システムにおいて、前記デジタルカメラ（２）は、前記第２のＩＤメモリに記憶されているＩＤを用いて前記近接無線通信手段を介して前記接続ユニット（３）とリンクを確立させるとともに、前記撮像素子で撮像した画像データを、前記接続ユニット（３）へ送信し、前記接続ユニット（３）は、該受信した画像データを判別し、前記携帯電話型通信機器（４）が使用する通信方式に変換し、前記接続ユニット（３）のメモリ（３１５）に格納した後に、前記コネクタ（４１４）を介して前記携帯電話型通信機器（４）のメモリに格納し、前記携帯電話型通信機器の表示部（４２５）にて、該画像データを表示する。
【手続補正２３】
【補正対象書類名】明細書
【補正対象項目名】０１１５
【補正方法】変更
【補正の内容】
【０１１５】
以上説明したように本発明によれば、接続ユニットを携帯型無線通信機器のコネクタに接続することにより、当該携帯型無線通信機器の通信方式を判別して、外部から受信したデータを、前記判別した当該携帯型無線通信機器の通信方式に沿った形式に変換することができる。よって、この接続ユニットが接続される携帯型無線通信機器が如何なる通信方式を採用していようとも、汎用的に用いることができる。これにより、外部から受信したデータを接続された携帯型無線通信機器の通信方式に沿った形式に変換して、当該携帯型無線通信機器からＷＷＷ上のサーバにアップロードする等が可能となる。
【手続補正２４】
【補正対象書類名】明細書
【補正対象項目名】０１１６
【補正方法】変更
【補正の内容】
【０１１６】
また本発明によれば、携帯型無線通信機器のコネクタに接続された接続ユニットが、携帯型無線通信機器から相手機器にデータを送信する際のデータ通信方式を判別することができ、携帯型無線通信機器からコネクタを介して受信したデータを判別されたデータ通信方式に沿った形式に変換することができる。よって、携帯型無線通信機器とデータを送信する相手機器との間で如何なる通信方式が採用されていようとも、汎用的に用いることができる。これにより、データを携帯型無線通信機器によってＷＷＷ上のサーバからダウンロードした後、当該携帯型無線通信機器から任意の外部機器にデータを送信する等が可能となる。